(57)【要約】【課題】受信波信号の強度および妨害波の周波数成分に応じて受信周波数帯域の減衰率や帯域除去成分を精細に制御でき、妨害波の多い環境で使用した場合でも妨害波の影響を適切に抑えることができるコードレス電話機の受信機を提供することを目的とする。【解決手段】制御部２０は、レベル判定手段２０ｂと、エラー判定手段２０ｃと、スイッチ制御手段２０ａと、レベル判定手段２０ｂおよびエラー判定手段２０ｃにおける判定結果に基づいて処理を行うと共に処理結果に基づいてスイッチ制御手段２０ａへスイッチ制御信号を送出する信号処理手段２０ｄとを有し、信号処理手段２０ｄは、受信波信号のレベルが所定レベルを超える場合にはスイッチ制御手段２０ａを介して減衰器４ａを選択させ、減衰器４ａを動作させたにもかかわらず受信データの判定において誤り情報が送出されている場合にはスイッチ制御手段２０ａを介して帯域除去フィルタ６ａを選択させる。【選択図】図１
2005197918.tif 000002
【特許請求の範囲】
【請求項１】
アンテナからの受信波信号を増幅する低雑音増幅器の前段に配置された減衰器か又は前記減衰器のバイパス経路を選択する減衰切換えスイッチと、前記低周波増幅器と前記減衰器との間に配設された帯域除去フィルタか前記帯域除去フィルタのバイパス経路を選択する帯域除去切換えスイッチと、復調信号から受信データを生成する受信デコーダ器と、前記受信波信号のレベルを検知する電界強度検知器と、全体を制御する制御部とを有し、
前記制御部は、前記電界強度検知器で検知されたレベルを判定するレベル判定手段と、前記受信デコーダ器からの受信データを判定してエラーの有無を判定する誤り判定手段と、前記各切換えスイッチを制御するスイッチ制御手段と、前記レベル判定手段および前記誤り判定手段における判定結果に基づいて処理を行うと共に処理結果に基づいて前記スイッチ制御手段へスイッチ制御信号を送出する信号処理手段とを有し、
前記信号処理手段は、前記受信波信号のレベルが所定レベルを超える場合には、前記スイッチ制御手段を介して前記減衰切換えスイッチに前記減衰器を選択させ、前記減衰器を動作させたにもかかわらず前記受信データの判定において誤り情報が送出されている場合には前記スイッチ制御手段を介して前記帯域除去切換えスイッチに前記帯域除去フィルタを選択させることを特徴とするコードレス電話機の受信機。
【請求項２】
広帯域フィルタか又は複数の狭帯域フィルタのいずれかを選択する帯域切換えスイッチを前記低雑音増幅と前記帯域除去フィルタとの間に配設し、前記複数の狭帯域フィルタは、前記広帯域フィルタの周波数帯域の全特性を少なくとも２分割した周波数特性を有し、前記広帯域フィルタと同等の特性を補完することを特徴とする請求項１に記載のコードレス電話機の受信機。
【請求項３】
前記減衰器は前記減衰切換えスイッチにより選択される複数の減衰器から構成されると共に前記帯域除去フィルタは前記帯域除去切換えスイッチにより選択される複数の帯域除去フィルタから構成され、前記複数の減衰器はそれぞれ減衰率が異なると共に前記複数の帯域除去フィルタは帯域除去の中心周波数が異なることを特徴とする請求項１または２に記載のコードレス電話機の受信機。
【発明の詳細な説明】
【技術分野】
【０００１】
本発明は、例えばＩＳＭ周波数帯などのような妨害波が多数存在し、また用いる周波数帯域が近傍周波数帯の影響を受けやすいコードレス電話機の受信機に関する。
【背景技術】
【０００２】
一般に、ＧＭＳＫ変調などを採用したディジタル無線通信システムにおいて使用される受信機では、受信系の非線形性による歪みが、誤り率を大きくする要因になる。例えば、高周波増幅器や周波数変換器のダイナミックレンジを超える大レベルの無線周波信号が入力されると、高周波増幅器および周波数変換器が飽和して、いわゆる相互変調と呼ばれる非希望波の生成による妨害波となり、これが受信データの誤り率増大の要因すなわち通話品質の低下の要因となり、不快な通話となってしまう。
【０００３】
そこで、従来のコードレス電話機の受信機についての最も一般的に用いられる対策として、例えば次のようにして誤り率の劣化を防止している。
【０００４】
図４は、従来のコードレス電話機の受信機を示すブロック図である（例えば特許文献２参照）。図４において、１はアンテナ、２はアンテナを送受信により切り換えるアンテナ切換え器、３ａ、３ｂは後述の減衰器４ａか又は後述のバイパス回路４を選択する減衰切換えスイッチ、４は減衰器４ａのバイパス回路、４ａは減衰率が受信信号のレベルにより制御される減衰器（アッテネータ）、８ａは広帯域の帯域通過フィルタ（以下、「広帯域フィルタ」という）、９は受信波信号を増幅する低雑音増幅器（ＬＮＡ）、１０は受信波信号を中間周波信号に変換する周波数変換器（以下、「受信ミキサ」ともいう）、１１は局部発振信号を発生する局部発振器、１２は中間周波信号を増幅する中間周波数増幅器、１３は受信波信号の変調信号を復調するための復調器、１５は中間周波数増幅器１２からの中間周波信号に基づいて受信電波の強度（すなわち受信波信号のレベル）を検出するための電界強度検知器、１６は復調され変換された復調信号１４（ベースバンド信号）から受信データを取り出すための受信デコーダ、２０は全体を制御する制御部（ＣＰＵ）である。制御部２０は、減衰切換えスイッチ３ａ、３ｂを制御するスイッチ制御手段２０ａと、電界強度検知器１５で検出した受信波信号のレベルに基づいて判定を行うレベル判定手段２０ｂと、受信デコーダ１６からの受信データに基づいて誤りの有無を判定するエラー判定手段２０ｃと、レベル判定手段２０ｂおよびエラー判定手段２０ｃにおける判定結果に基づいて処理を行う信号処理手段２０ｄとを有する。なお、周波数変換器１０の出力信号から不要成分を除去する中間周波フィルタは図示を省略する。
【０００５】
このように構成されたコードレス電話機の受信機について、その動作を説明する。到来電波をアンテナ１で受波することによりアンテナ１から出力される受信波信号は、高周波増幅器としての低雑音増幅器９で増幅されたのち周波数変換器１０に入力され、この周波数変換器１０で局部発振器１１から発生された局部発振信号と混合されて、中間周波信号に周波数変換される。この中間周波信号は、帯域フィルタ（図示省略）で所定の帯域成分のみが抽出されたのち、中間周波数増幅器１２で増幅されて、復調器１３に供給される。ここまでがスーパーヘテロダインと呼ばれる受信回路の構成であり、一般的によく用いられている。
【０００６】
このような構成の受信機において低雑音増幅器９および周波数変換器１０が飽和するのを防ぐため、受信帯域を通過させる広帯域フィルタ８ａの前段に、減衰器４ａと、減衰器４ａのパイパス経路を形成するための減衰切換えスイッチ３ａと３ｂとを配設し（例えば特許文献１参照）、受信波信号の電界強度を調べるために、中間周波数増幅器１２の途中
から信号を取り出し、中間周波数増幅器１２からの中間周波信号に基づいて受信波信号のレベルを検知する電界強度検知器１５を設け、制御部２０には、電界強度検知器１５からの受信波信号のレベルを判定するためのレベル判定手段２０ｂと、そのレベルに基づいて所定の判定の処理を行う信号処理手段２０ｄと、信号処理手段２０ｄとの連係により減衰切換えスイッチ３ａと３ｂを制御するスイッチ制御手段２０ａとを有し、スイッチ制御手段２０ａは、アンテナ１からの受信波信号が減衰器４ａを通過するか、または減衰器４ａのバイパス回路４を通過するようにする。
【０００７】
このような従来の受信機における動作は、受信波信号のレベルが所定の閾値を超えているとレベル判定手段２０ｂが判定した時、減衰器４ａが有効となるように（受信波信号が減衰器４ａを通過するように）切換え制御されることで、無線周波信号の受信レベルは必要以上に増加することがなくなる。
【０００８】
こうした機能を有する従来のコードレス電話機の受信機について、妨害波が多数存在する環境の下では、妨害波による受話品質の低下を防ぐため、受信レベルが高くかつ妨害波のレベルも高い場合には、高周波段の利得を調整して入力信号レベルを減衰させ、高周波段の歪みによる相互変調妨害波の発生を抑制することが行われる。
【特許文献１】特開平１０−２８０６６号公報
【特許文献２】特開平１０−３３６０６８号公報
【発明の開示】
【発明が解決しようとする課題】
【０００９】
しかし、従来のコードレス電話機の受信機においては、受信波信号の減衰量の可変しかできず、特定の強力な妨害波や不要な帯域に存在する妨害波に対しては大きな減衰量を確保することが難しく、そのため、信号波のレベルが大きく妨害波のレベルも大きいような場合（例えばＩＳＭバンドと呼ばれる２．４Ｇヘルツ周波数帯における電子レンジなどからの妨害波）、周波数変換器１０に入力する妨害波のレベルが大きくなり、周波数変換器１０において相互変調歪み（ＩＭ）の発生により、信号対妨害波比（Ｃ／ＩＭ比）が極端に劣化するという問題点を有していた。
【００１０】
このコードレス電話機の受信機では、妨害波の多い環境で使用した場合でも、受信波信号の強度および妨害波の周波数成分に応じて受信周波数帯域の減衰率や帯域除去成分を精細に制御して、妨害波の影響を適切に抑えることが要求されている。
【００１１】
本発明は、この要求を満たすため、受信波信号の強度および妨害波の周波数成分に応じて受信周波数帯域の減衰率や帯域除去成分を精細に制御することができ、妨害波の多い環境で使用した場合でも妨害波の影響を適切に抑えることができるコードレス電話機の受信機を提供することを目的とする。
【課題を解決するための手段】
【００１２】
本発明のコードレス電話機の受信機は、アンテナからの受信波信号を増幅する低雑音増幅器の前段に配置された減衰器か又は減衰器のバイパス経路を選択する減衰切換えスイッチと、低周波増幅器と減衰器との間に配設された帯域除去フィルタか帯域除去フィルタのバイパス経路を選択する帯域除去切換えスイッチと、復調信号から受信データを生成する受信デコーダ器と、受信波信号のレベルを検知する電界強度検知器と、全体を制御する制御部とを有し、制御部は、電界強度検知器で検知されたレベルを判定するレベル判定手段と、受信デコーダ器からの受信データを判定してエラーの有無を判定する誤り判定手段と、各切換えスイッチを制御するスイッチ制御手段と、レベル判定手段および誤り判定手段における判定結果に基づいて処理を行うと共に処理結果に基づいてスイッチ制御手段へスイッチ制御信号を送出する信号処理手段とを有し、信号処理手段は、受信波信号のレベル
が所定レベルを超える場合には、スイッチ制御手段を介して減衰切換えスイッチに減衰器を選択させ、減衰器を動作させたにもかかわらず受信データの判定において誤り情報が送出されている場合にはスイッチ制御手段を介して帯域除去切換えスイッチに帯域除去フィルタを選択させる構成を備えている。
【００１３】
これにより、受信波信号の強度および妨害波の周波数成分に応じて受信周波数帯域の減衰率や帯域除去成分を精細に制御することができ、妨害波の多い環境で使用した場合でも妨害波の影響を適切に抑えることができるコードレス電話機の受信機が得られる。
【発明の効果】
【００１４】
本発明のコードレス電話機は、アンテナからの受信波信号を増幅する低雑音増幅器の前段に配置された減衰器か又は減衰器のバイパス経路を選択する減衰切換えスイッチと、低周波増幅器と減衰器との間に配設された帯域除去フィルタか帯域除去フィルタのバイパス経路を選択する帯域除去切換えスイッチと、復調信号から受信データを生成する受信デコーダ器と、受信波信号のレベルを検知する電界強度検知器と、全体を制御する制御部とを有し、制御部は、電界強度検知器で検知されたレベルを判定するレベル判定手段と、受信デコーダ器からの受信データを判定してエラーの有無を判定する誤り判定手段と、各切換えスイッチを制御するスイッチ制御手段と、レベル判定手段および誤り判定手段における判定結果に基づいて処理を行うと共に処理結果に基づいてスイッチ制御手段へスイッチ制御信号を送出する信号処理手段とを有し、信号処理手段は、受信波信号のレベルが所定レベルを超える場合には、スイッチ制御手段を介して減衰切換えスイッチに減衰器を選択させ、減衰器を動作させたにもかかわらず受信データの判定において誤り情報が送出されている場合にはスイッチ制御手段を介して帯域除去切換えスイッチに帯域除去フィルタを選択させることにより、受信波信号の信号強度（電界強度）だけで受信波信号の減衰量の切換えを行なうだけでなく、受信データの誤りの有無においても減衰器の切換えと帯域除去フィルタの切り換えを行なうことができるので、受信波信号の強度および妨害波の周波数成分に応じて受信周波数帯域の減衰率や帯域除去成分を精細に制御することができ、妨害波の多い環境で使用した場合でも妨害波の影響を適切に抑えることができるという有利な効果が得られる。
【００１５】
さらに、広帯域フィルタか又は複数の狭帯域フィルタのいずれかを選択する帯域切換えスイッチを低雑音増幅と帯域除去フィルタとの間に配設し、複数の狭帯域フィルタは、広帯域フィルタの周波数帯域の全特性を少なくとも２分割した周波数特性を有し、広帯域フィルタと同等の特性を補完することにより、減衰器において妨害波の十分な減衰が得られない場合、帯域除去による妨害波の除去と共に帯域フィルタの周波数特性の変更による妨害波の除去を行うことができるので、妨害波の周波数成分に応じた帯域除去を精細に行うことができるという有利な効果が得られる。
【００１６】
さらに、減衰器は減衰切換えスイッチにより選択される複数の減衰器から構成されると共に帯域除去フィルタは帯域除去切換えスイッチにより選択される複数の帯域除去フィルタから構成され、複数の減衰器はそれぞれ減衰率が異なると共に複数の帯域除去フィルタは帯域除去の中心周波数が異なることにより、受信波信号の強度および妨害波の周波数成分に応じて受信周波数帯域の減衰率や帯域除去成分を更に精細に制御することができるので、妨害波の多い環境で使用した場合でも妨害波の影響を更に適切に抑えることができるという有利な効果が得られる。
【発明を実施するための最良の形態】
【００１７】
本発明は、受信波信号の強度および妨害波の周波数成分に応じて受信周波数帯域の減衰率や帯域除去成分を精細に制御し、妨害波の多い環境で使用した場合でも妨害波の影響を適切に抑えるという目的を、受信波信号のレベルが所定レベルを超える場合には、スイッ
チ制御手段を介して減衰切換えスイッチに減衰器を選択させ、減衰器を動作させたにもかかわらず受信データの判定において誤り情報が送出されている場合にはスイッチ制御手段を介して帯域除去切換えスイッチに帯域除去フィルタを選択させることにより実現した。
【００１８】
上記課題を解決するためになされた第１の発明は、アンテナからの受信波信号を増幅する低雑音増幅器の前段に配置された減衰器か又は減衰器のバイパス経路を選択する減衰切換えスイッチと、低周波増幅器と減衰器との間に配設された帯域除去フィルタか帯域除去フィルタのバイパス経路を選択する帯域除去切換えスイッチと、復調信号から受信データを生成する受信デコーダ器と、受信波信号のレベルを検知する電界強度検知器と、全体を制御する制御部とを有し、制御部は、電界強度検知器で検知されたレベルを判定するレベル判定手段と、受信デコーダ器からの受信データを判定してエラーの有無を判定する誤り判定手段と、各切換えスイッチを制御するスイッチ制御手段と、レベル判定手段および誤り判定手段における判定結果に基づいて処理を行うと共に処理結果に基づいてスイッチ制御手段へスイッチ制御信号を送出する信号処理手段とを有し、信号処理手段は、受信波信号のレベルが所定レベルを超える場合には、スイッチ制御手段を介して減衰切換えスイッチに減衰器を選択させ、減衰器を動作させたにもかかわらず受信データの判定において誤り情報が送出されている場合にはスイッチ制御手段を介して帯域除去切換えスイッチに帯域除去フィルタを選択させることとしたものであり、受信波信号の信号強度（電界強度）だけで受信波信号の減衰量の切換えを行なうだけでなく、受信データの誤りの有無においても減衰器の切換えと帯域除去フィルタの切り換えを行なうことができるので、受信波信号の強度および妨害波の周波数成分に応じて受信周波数帯域の減衰率や帯域除去成分を精細に制御することができ、妨害波の多い環境で使用した場合でも妨害波の影響を適切に抑えることができるという作用・効果を有する。
【００１９】
上記課題を解決するためになされた第２の発明は、広帯域フィルタか又は複数の狭帯域フィルタのいずれかを選択する帯域切換えスイッチを低雑音増幅と帯域除去フィルタとの間に配設し、複数の狭帯域フィルタは、広帯域フィルタの周波数帯域の全特性を少なくとも２分割した周波数特性を有し、広帯域フィルタと同等の特性を補完することとしたものであり、減衰器において妨害波の十分な減衰が得られない場合、帯域除去による妨害波の除去と共に帯域フィルタの周波数特性の変更による妨害波の除去を行うことができるので、妨害波の周波数成分に応じた帯域除去を精細に行うことができるという作用・効果を有する。
【００２０】
上記課題を解決するためになされた第３の発明は、減衰器は減衰切換えスイッチにより選択される複数の減衰器から構成されると共に帯域除去フィルタは帯域除去切換えスイッチにより選択される複数の帯域除去フィルタから構成され、複数の減衰器はそれぞれ減衰率が異なると共に複数の帯域除去フィルタは帯域除去の中心周波数が異なることとしたものであり、受信波信号の強度および妨害波の周波数成分に応じて受信周波数帯域の減衰率や帯域除去成分を更に精細に制御することができるので、妨害波の多い環境で使用した場合でも妨害波の影響を更に適切に抑えることができるという作用・効果を有する。
【００２１】
（実施の形態１）
図１は、本発明の実施の形態１によるコードレス電話機の受信機を示すブロック図である。
【００２２】
図１において、アンテナ１、アンテナ切換え器２、減衰切換えスイッチ３ａ、３ｂ、バイパス回路４、減衰器４ａ、広帯域フィルタ８ａ、低雑音増幅器９、周波数変換器（受信ミキサ）１０、局部発振器１１、中間周波数増幅器１２、復調器１３、電界強度検知器１５、受信デコーダ１６、制御部２０、スイッチ制御手段２０ａ、レベル判定手段２０ｂ、エラー判定手段２０ｃ、信号処理手段２０ｄは図４と同様の構成であり、説明は省略する
。５ａ、５ｂは受信系統として後述の帯域除去フィルタ６ａまたは後述のバイパス回路６を選択するための帯域除去切換えスイッチ、６ａは入力信号から或る帯域の周波数成分を除去する帯域除去フィルタ、６は帯域除去フィルタ６ａをバイパスするバイパス回路である。
【００２３】
このように構成されたコードレス電話機の受信機について、その動作を説明する。
【００２４】
通信相手（親機または子機）から送信され受信した受信波信号は、アンテナ１およびアンテナ切換え器２を通過した後（アンテナ切換え器２の反対側の送信側への動作は、とくに説明する必要がないので、ここではその説明と図示を省略する）、減衰切換えスイッチ３ａおよび３ｂが減衰器４ａをバイパスするバイパス回路４を選択しているときは受信波信号は減衰することなく次の段へ導かれ、帯域除去切換えスイッチ５ａおよび５ｂがバイパスするバイパス回路６を選択しているときは同様に受信波信号は減衰することなく次の段へ導かれ、広帯域フィルタ８ａの特性に従い、必要な受信帯域幅の受信波信号が通過した後、低雑音増幅器９で増幅される。低雑音増幅器９で増幅された受信波信号は、受信ミキサ１０によって中間周波信号に変換され、次に中間周波数増幅器１２で増幅され、復調器１３により復調され復調信号１４が得られる。復調信号１４は、受信デコーダ１６により、通信相手から送られてきた送信データと同じ受信データ１８に再現される。中間周波数増幅器１２を通過する受信波信号の強度が電界強度検知器（ＲＳＳＩ）１５によって検出され、電界強度検知器１５の検出信号がレベル判定手段２０ｂへ送出され、その信号強度に応じてレベル判定手段２０ｂは信号強度判定を行ない、信号レベルが所定のレベルを超える場合には、信号処理手段２０ｄにより、減衰切換えスイッチ３ａおよび３ｂが減衰器４ａに切り換えて減衰器４ａを動作させ、受信波信号を所定量だけ減衰させ、周波数変換器１０に入力する受信波信号のレベルを下げる。
【００２５】
こうして受信波信号のレベルを下げることにより、周波数変換器１０に入力する妨害波のレベルも同じように下がる。従って、このように設定することにより、受信波信号のレベルが大きく、妨害波のレベルも大きい場合に、受信ミキサ１０の出力飽和歪み点（インターセプトポイントと呼ばれる）を上げることなく、受信ミキサ１０で発生する相互変調歪（ＩＭ）成分を小さくすることができ、信号対妨害波比を小さくすることができる。
【００２６】
また、減衰器４ａを動作させたにもかかわらず、受信デコーダ１６により再現した受信データ１８において、そのデータ中に含まれるＣＲＣデータを制御部２０内のエラー判定手段２０ｃにより判定し、エラー情報が送出されていると判定した場合には、制御部２０内の信号処理手段２０ｄにより、スイッチ制御手段２０ａを連係させ、帯域除去切換えスイッチ５ａおよび５ｂが帯域除去フィルタ６ａに切り換えるようにするため、所定の強力な妨害波（例えば２．４ＧＨｚ帯域における電子レンジの周波数の妨害波）を排除することができる。
【００２７】
このように、本実施の形態のコードレス電話機の受信機は、入力する受信波信号と共に妨害波信号を減衰させることにより受信波信号の高周波段における利得を低減させることができ、強力な妨害波の利得を低減させることができる。
【００２８】
なお、受信している電界強度レベルが所定レベルより低く、受信データ１８中に含まれるＣＲＣデータを制御部２０内のエラー判定手段２０ｃにより判定しエラー情報が送出されている場合には、減衰器４ａを動作させず、先に狭い帯域のフィルタに切り換えることで、エラーを最小限となるようにすることもできる。
【００２９】
以上のように本実施の形態によれば、信号処理手段２０ｄは、受信波信号のレベルが所定レベルを超える場合には、スイッチ制御手段２０ａを介して減衰切換えスイッチ３ａ、
３ｂに減衰器４ａを選択させ、減衰器４ａを動作させたにもかかわらず受信データの判定において誤り情報が送出されている場合にはスイッチ制御手段２０ａを介して帯域除去切換えスイッチ５ａ、５ｂに帯域除去フィルタ６ａを選択させることにより、受信波信号の信号強度（電界強度）だけで受信波信号の減衰量の切換えを行なうだけでなく、受信データの誤りの有無においても減衰器の切換えと帯域除去フィルタの切り換えを行なうことができるので、受信波信号の強度および妨害波の周波数成分に応じて受信周波数帯域の減衰率や帯域除去成分を精細に制御することができ、妨害波の多い環境で使用した場合でも妨害波の影響を適切に抑えることができる。
【００３０】
（実施の形態２）
図２は、本発明の実施の形態２によるコードレス電話機の受信機を示すブロック図である。
【００３１】
図２において、アンテナ１、アンテナ切換え器２、減衰切換えスイッチ３ａ、３ｂ、バイパス回路４、減衰器４ａ、帯域除去切換えスイッチ５ａ、５ｂ、帯域除去フィルタ６ａ、バイパス回路６、広帯域フィルタ８ａ、低雑音増幅器９、周波数変換器１０、局部発振器１１、中間周波数増幅器１２、復調器１３、電界強度検知器１５、受信デコーダ１６、制御部２０、スイッチ制御手段２０ａ、レベル判定手段２０ｂ、エラー判定手段２０ｃ、信号処理手段２０ｄは図４と同様の構成であり、説明は省略する。７ａ、７ｂは広帯域フィルタ８ａと後述の狭帯域フィルタ８ｂ、８ｃを切り換えるための帯域切換えスイッチ、８ｂ、８ｃは広帯域フィルタ８ａの全特性を分割補完できる特性を有する狭帯域の帯域通過フィルタ（以下、「狭帯域フィルタ」という）である。
【００３２】
このように構成されたコードレス電話機の受信機について、その動作を説明する。
【００３３】
広帯域フィルタ８ａの周波数帯域は、通信に必要な受信周波数範囲の全特性を有しており、狭帯域フィルタ８ｂおよび８ｃは、広帯域フィルタ８ａの全特性を分割補完できる特性を有し、帯域切換えスイッチ７ａおよび７ｂにより、通常選択している広帯域フィルタ８ａに代えて狭帯域フィルタ８ｂおよび８ｃを選択することにより広帯域フィルタ８ａと同等の特性となる構成としている。
【００３４】
この構成の受信機では、帯域切換えスイッチ７ａおよび７ｂにより実施の形態１に示す動作において帯域除去切換えスイッチ５ａおよび５ｂにより帯域除去フィルタ６ａを選択したにも関わらず、受信デコーダ１６により再現した受信データ１８中に含まれるＣＲＣデータを制御部２０内のエラー判定手段２０ｃにより判定しエラー情報が送出されていると判定した場合には、制御部２０内の信号処理手段２０ｄによりスイッチ制御手段２０ａを連係させ、帯域切換えスイッチ７ａおよび７ｂを最も受信波信号の周波数の帯域に近い狭帯域フィルタ８ｂまたは８ｃを選択することで、指定した狭帯域フィルタ以外に存在する妨害波を排除することができ、実施の形態１と同様に受信ミキサ１０で発生する相互変調歪（ＩＭ）成分を小さくすることができ、信号対妨害波比を小さくすることができる。
【００３５】
以上のように本実施の形態によれば、広帯域フィルタ８ａ又は複数の狭帯域フィルタ８ｂ、８ｃのいずれかを選択する帯域切換えスイッチ７ａ、７ｂを低雑音増幅９と帯域除去フィルタ６ａとの間に配設し、複数の狭帯域フィルタ８ｂ、８ｃは、広帯域フィルタ８ａの周波数帯域の全特性を少なくとも２分割した周波数特性を有し、広帯域フィルタ８ａと同等の特性を補完することにより、減衰器４ａにおいて妨害波の十分な減衰が得られない場合、帯域除去による妨害波の除去と共に帯域フィルタの周波数特性の変更による妨害波の除去を行うことができるので、妨害波の周波数成分に応じた帯域除去を精細に行うことができる。
【００３６】
（実施の形態３）
図３は、本発明の実施の形態３によるコードレス電話機の受信機を示すブロック図である。
【００３７】
図３において、アンテナ１、アンテナ切換え器２、減衰切換えスイッチ３ａ、３ｂ、バイパス回路４、減衰器４ａ、帯域除去切換えスイッチ５ａ、５ｂ、帯域除去フィルタ６ａ、バイパス回路６、帯域切換えスイッチ７ａ、７ｂ、広帯域フィルタ８ａ、狭帯域フィルタ８ｂ、８ｃ、低雑音増幅器９、周波数変換器１０、局部発振器１１、中間周波数増幅器１２、復調器１３、電界強度検知器１５、受信デコーダ１６、制御部２０、スイッチ制御手段２０ａ、レベル判定手段２０ｂ、エラー判定手段２０ｃ、信号処理手段２０ｄは図４と同様の構成であり、説明は省略する。４ｂは減衰器４ａと多段構成をなす減衰器、６ｂは帯域除去フィルタ６ａと多段構成をなす帯域除去フィルタである。なお、切換えスイッチ３ａ、３ｂ、５ａ、５ｂは図１、図２においては２段切換えであったが、本実施の形態では３段切換えとなる。すなわち、図３では、減衰器を多段にするために減衰器４ａおよび４ｂとし、減衰器４ａおよび４ｂのバイパス回路４とを選択する減衰切換えスイッチ３ａおよび３ｂと、帯域除去フィルタの中心周波数の異なるフィルタを選択できるように帯域除去フィルタ６ａおよび６ｂとし、バイパス回路６とを選択する帯域除去切換えスイッチ５ａおよび５ｂとなる構成としている。
【００３８】
減衰器４ａおよび４ｂはさらに多段にすることも可能で、４ｃ、４ｄ、４ｎなどのように増やして、それに従い減衰切換えスイッチ３ａおよび３ｂの切換え段数を増やして切換えることができるようにする。減衰量はそれぞれ減衰器４ａをＡ１および減衰器４ｂをＡ２さらに減衰器４ｃをＡ３などとすれば、Ａ１＜Ａ２＜Ａ３・・・＜Ａｎの順で挿入損失を増やしていけるような減衰値となるように設定しておく。帯域除去フィルタ６ａおよび６ｂもさらに多段にすることも可能で、さらに中心周波数の異なる帯域除去フィルタ６ｃ・・・６ｎとし、それに従い帯域除去切換えスイッチ５ａおよび５ｂの切換え段数を増やして切換えることができるようにする。これにより例えば発振周波数の異なる電子レンジなどの強力な妨害波を低減させることができる。本実施の形態では、代表例としてバイパス１段、減衰器および帯域除去フィルタをそれぞれ２段の切り換えとし、切換スイッチ３ａ、３ｂ、５ａ、５ｂをそれぞれ３段とした場合の例を図示している。
【００３９】
このように構成されたコードレス電話機の受信機について、その動作を説明する。
【００４０】
この構成の受信機では、レベル判定手段２０ｂにおける閾値（所定レベル）をＡ、Ｂ、Ｃと設け、減衰器４ａおよび４ｂの減衰切換えスイッチ３ａおよび３ｂの切換えに応じた判定レベルを有し、その動作は実施の形態１と同様であり、受信波信号の強弱に応じて細かく受信波信号のレベルを低減することができ、周波数変換器１０で発生する相互変調歪（ＩＭ）成分をより小さくすることができるようになる。
【００４１】
減衰器を切り換えたにも関わらず、受信デコーダ１６により再現した受信データ１８中に含まれるＣＲＣデータを制御部２０内のエラー判定手段２０ｃにより判定しエラー情報が送出されていると判定した場合には、制御部２０内の信号処理手段２０ｄにより、スイッチ制御手段２０ａを連係させ、実施の形態２と同様に帯域切換えスイッチ７ａおよび７ｂにより最も受信波信号周波数の帯域に近い狭帯域フィルタ８ｂまたは８ｃを選択することで、指定した狭帯域フィルタ以外に存在する妨害波を排除することができ、実施の形態１と同様に周波数変換器１０で発生する相互変調歪（ＩＭ）成分を小さくすることができ、信号対妨害波比を小さくすることができる。
【００４２】
さらに、減衰器および帯域フィルタを切換えたにも関わらず、受信デコーダ１６により再現した受信データ１８中に含まれるＣＲＣデータを制御部２０内のエラー判定手段２０
ｃにより判定しエラー情報が送出されていると判定した場合には、制御部２０内の信号処理手段２０ｄにより、スイッチ制御手段２０ａを連係させ、実施の形態２と同様に帯域除去切換えスイッチ５ａおよび５ｂを切り換えて帯域除去フィルタを選択することができる。このとき帯域除去フィルタの数だけ切換え段数を有し、受信波信号のエラー発生の起こっている周波数に応じて適切な帯域除去フィルタ６ａまたは６ｂを選択する。本実施の形態では２種類の異なる帯域除去フィルタ６ａ、６ｂを有した例であるので、もしそれ以外の周波数に強力な妨害電波の予測される周波数があれば、その周波数に応じた帯域除去フィルタを追加配置するだけで容易に妨害電波を低減することができる。
【００４３】
以上のように本実施の形態によれば、減衰器は減衰切換えスイッチ３ａ、３ｂにより選択される複数の減衰器から構成されると共に帯域除去フィルタは帯域除去切換えスイッチ５ａ、５ｂにより選択される複数の帯域除去フィルタから構成され、複数の減衰器はそれぞれ減衰率が異なると共に複数の帯域除去フィルタは帯域除去の中心周波数が異なることにより、受信波信号の強度および妨害波の周波数成分に応じて受信周波数帯域の減衰率や帯域除去成分を更に精細に制御することができるので、妨害波の多い環境で使用した場合でも妨害波の影響を更に適切に抑えることができる。
【産業上の利用可能性】
【００４４】
本発明は、例えばＩＳＭ周波数帯などのような妨害波が多数存在し、また用いる周波数帯域が近傍周波数帯の影響を受けやすいコードレス電話機の受信機に関し、受信波信号の強度および妨害波の周波数成分に応じて受信周波数帯域の減衰率や帯域除去成分を精細に制御することができ、妨害波の多い環境で使用した場合でも妨害波の影響を適切に抑えることができる。
【図面の簡単な説明】
【００４５】
【図１】本発明の実施の形態１によるコードレス電話機の受信機を示すブロック図
【図２】本発明の実施の形態２によるコードレス電話機の受信機を示すブロック図
【図３】本発明の実施の形態３によるコードレス電話機の受信機を示すブロック図
【図４】従来のコードレス電話機の受信機を示すブロック図
【符号の説明】
【００４６】
１    アンテナ
２    アンテナ切換え器
３ａ、３ｂ    減衰切換えスイッチ
４、６    バイパス回路
４ａ、４ｂ    減衰器
５ａ、５ｂ    帯域除去切換えスイッチ
６ａ、６ｂ    帯域除去フィルタ
７ａ、７ｂ    帯域切換えスイッチ
８ａ    広帯域フィルタ
８ｂ、８ｃ    狭帯域フィルタ
９    低雑音増幅器
１０    周波数変換器
１１    局部発振器
１２    中間周波数増幅器
１３    復調器
１５    電界強度検知器
１６    受信デコーダ
２０    制御部
２０ａ    スイッチ制御手段
２０ｂ    レベル判定手段
２０ｃ    エラー判定手段
２０ｄ    信号処理手段
【図１】
2005197918.tif 000003
【図２】
2005197918.tif 000004
【図３】
2005197918.tif 000005
【図４】
2005197918.tif 000006